【手続補正書】
【提出日】平成17年3月3日(2005.3.3)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】
ウィンドウを使用したグラフィックユーザーインターフェースを有し、複数のアプリケーションプログラムの中から所定のものを選択し、動作させることが可能な情報処理装置において、
被写体の画像を撮像する撮像手段と、
使用者の操作を検出する検出手段と、
前記検出手段が操作を検出したとき、前記画像を撮影する前記アプリケーションプログラムをアクティブとなるように制御する制御手段と
を備えることを特徴とする情報処理装置。
【請求項２】
前記検出手段は、使用者の第１の操作と、第２の操作を検出し、
前記制御手段は、前記検出手段が前記第１の操作を検出したとき、前記画像を撮影する前記アプリケーションプログラムの前記ウィンドウをアクティブとし、前記第２の操作を検出したとき、前記撮像手段による撮像を制御する
ことを特徴とする請求項１に記載の情報処理装置。
【請求項３】
前記第１の操作は、ボタンの半押しであり、前記第２の操作は、ボタンの全押しであること
を特徴とする請求項２に記載の情報処理装置。
【請求項４】
ウィンドウを使用したグラフィックユーザーインターフェースを有し、複数のアプリケーションプログラムの中から所定のものを選択し、動作させることが可能な情報処理方法において、
被写体の画像を撮像する撮像ステップと、
使用者の操作を検出する検出ステップと、
前記検出ステップで操作が検出されたとき、前記画像を撮影する前記アプリケーションプログラムをアクティブとなるように制御する制御ステップと
を含むことを特徴とする情報処理方法。
【請求項５】
ウィンドウを使用したグラフィックユーザーインターフェースを有し、複数のアプリケーションプログラムの中から所定のものを選択し、動作させることが可能な情報処理用のプログラムであって、
被写体の画像を撮像する撮像ステップと、
使用者の操作を検出する検出ステップと、
前記検出ステップで操作が検出されたとき、前記画像を撮影する前記アプリケーションプログラムをアクティブとなるように制御する制御ステップと
を含むことを特徴とするコンピュータが読み取り可能なプログラムが記録されている記録媒体。
【請求項６】
複数のアプリケーションプログラムの中から所定のものを選択し、動作させることが可能な情報処理装置において、
被写体の画像を撮像する撮像手段と、
使用者の第１の操作と、第２の操作とを検出する検出手段と、
前記検出手段が前記第１の操作を検出した場合、前記画像を撮影する前記アプリケーションプログラムのウィンドウをアクティブとするように制御し、前記検出手段が前記第２の操作を検出した場合、前記撮像手段による撮像を制御する制御手段と
を備えることを特徴とする情報処理装置。
【請求項７】
被写体の画像を撮像する撮像手段を備え、複数のアプリケーションプログラムの中から所定のものを選択し、動作させることが可能な情報処理装置の情報処理方法において、
使用者の第１の操作と、第２の操作とを検出する検出ステップと、
前記検出ステップにおいて前記第１の操作が検出された場合、前記画像を撮影する前記アプリケーションプログラムのウィンドウをアクティブとするように制御し、前記検出ステップにおいて前記第２の操作が検出された場合、前記撮像手段による撮像を制御する制御ステップと
を含むことを特徴とする情報処理方法。
【手続補正３】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、特に、画像を撮影する情報処理装置および方法、並びに記録媒体に関する。
【手続補正４】
【補正対象書類名】明細書
【補正対象項目名】００１０
【補正方法】変更
【補正の内容】
【００１０】
請求項５に記載の記録媒体のプログラムは、被写体の画像を撮像する撮像ステップと、使用者の操作を検出する検出ステップと、検出ステップで操作が検出されたとき、画像を撮影するアプリケーションプログラムをアクティブとなるように制御する制御ステップとを含むことを特徴とする。
請求項６に記載の情報処理装置は、被写体の画像を撮像する撮像手段と、使用者の第１の操作と、第２の操作とを検出する検出手段と、検出手段が第１の操作を検出した場合、画像を撮影するアプリケーションプログラムのウィンドウをアクティブとするように制御し、検出手段が第２の操作を検出した場合、撮像手段による撮像を制御する制御手段とを備えることを特徴とする。
請求項７に記載の情報処理方法は、使用者の第１の操作と、第２の操作とを検出する検出ステップと、検出ステップにおいて第１の操作が検出された場合、画像を撮影するアプリケーションプログラムのウィンドウをアクティブとするように制御し、検出ステップにおいて第２の操作が検出された場合、撮像手段による撮像を制御する制御ステップとを含むことを特徴とする。
【手続補正５】
【補正対象書類名】明細書
【補正対象項目名】００１１
【補正方法】変更
【補正の内容】
【００１１】
請求項１に記載の情報処理装置、請求項４に記載の情報処理法法、および請求項５に記載の記録媒体においては、被写体の画像を撮像し、使用者の操作を検出し、操作を検出したとき、画像を撮影するアプリケーションプログラムをアクティブとなるように制御する。
請求項６に記載の情報処理装置および請求項７に記載の情報処理方法においては、使用者の第１の操作と、第２の操作とを検出し、第１の操作が検出された場合、画像を撮影するアプリケーションプログラムのウィンドウをアクティブとするように制御し、第２の操作が検出された場合、撮像手段による撮像を制御する。
【手続補正６】
【補正対象書類名】明細書
【補正対象項目名】００１３
【補正方法】変更
【補正の内容】
【００１３】
すなわち、請求項１に記載の情報処理装置は、被写体の画像を撮像する撮像手段（例えば、図７のCCDビデオカメラ２３）と、使用者の操作を検出する検出手段（例えば、図７の半押しスイッチ８５）と、検出手段が操作を検出したとき、画像を撮影するアプリケーションプログラムをアクティブとなるように制御する制御手段（例えば、図７のCPU５２）とを備えることを特徴とする。
請求項６に記載の情報処理装置は、被写体の画像を撮像する撮像手段（例えば、図７のCCDビデオカメラ２３）と、使用者の第１の操作と、第２の操作とを検出する検出手段（例えば、図７の半押しスイッチ８５および全押しスイッチ８６）と、検出手段が第１の操作を検出した場合、画像を撮影するアプリケーションプログラムのウィンドウをアクティブとするように制御し、検出手段が第２の操作を検出した場合、撮像手段による撮像を制御する制御手段（例えば、図７のCPU５２）とを備えることを特徴とする。
【手続補正７】
【補正対象書類名】明細書
【補正対象項目名】００５５
【補正方法】変更
【補正の内容】
【００５５】
【発明の効果】
請求項１に記載の情報処理装置、請求項４に記載の情報処理法法、および請求項５に記載の記録媒体によれば、被写体の画像を撮像し、使用者の操作を検出し、操作を検出したとき、画像を撮影するアプリケーションプログラムをアクティブとなるように制御するようにしたので、シャッタボタンだけで、静止画像の撮影および動画の撮影を、操作することが可能になる。
請求項６に記載の情報処理装置および請求項７に記載の情報処理方法によれば、使用者の第１の操作と、第２の操作とを検出し、第１の操作が検出された場合、画像を撮影するアプリケーションプログラムのウィンドウをアクティブとするように制御し、第２の操作が検出された場合、撮像手段による撮像を制御するようにしたので、シャッタボタンだけで、静止画像の撮影および動画の撮影を、操作することが可能になる。